(57)【要約】【課題】  調理用テーブルの天板に取り付ける前に、コンロ本体部とコンロ操作部を予め接続させておくことができる燃焼ボックス、およびそのような燃焼ボックスを備えた調理用テーブルを提供する。【解決手段】  内箱（２２）と外箱（２３）は、上部開放部の周縁どうしが相互に連結固定される一方、その連結固定部分以外の部分において相互に隙間が設けられており、相互に連結固定された状態で調理用テーブルの天板（１）の貫通穴（１ａ）に挿通される。【選択図】図２
0003106442.tif 000002
【実用新案登録請求の範囲】
【請求項１】
調理用テーブルの天板に形成される貫通穴に挿通されることにより、前記天板に取り付けられる燃焼ボックスであって、
上部が開放された箱状体で、内部に加熱コンロの本体部が支持固定される内箱と、
上部が開放された箱状体で、前記内箱を内部に収容することにより、前記内箱の側周面及び底面を覆うとともに、前記加熱コンロの操作部を外部に露出させた状態で自らの側周面に支持固定する外箱と、を備え、
前記内箱と前記外箱は、上部開放部の周縁どうしが相互に連結固定される一方、その連結固定部分以外の部分において相互に隙間が設けられており、相互に連結固定された状態で前記貫通穴に挿通されることを特徴とする燃焼ボックス。
【請求項２】
前記内箱と前記外箱の連結固定部分には、両者間の隙間を確保するためのスペーサが介在させられていることを特徴とする請求項１に記載の燃焼ボックス。
【請求項３】
請求項１又は２に記載の燃焼ボックスが天板に取り付けられていることを特徴とする調理用テーブル。
【考案の詳細な説明】
【技術分野】
【０００１】
本考案は、調理用テーブルの天板に形成される貫通穴に挿通されることにより、前記天板に取り付けられる燃焼ボックス、および、そのような燃焼ボックスを備える調理用テーブルに関する。
【背景技術】
【０００２】
従来、お好み焼きや焼肉を提供する飲食店において、客席テーブルの天板に貫通穴を形成し、その貫通穴に、加熱コンロを内蔵した燃焼ボックスを挿通させて支持するようにした調理用テーブルが使用されている。このような調理用テーブルによれば、調理材料を加熱調理しながら飲食させることができるため、温かい料理を順次調理しながらお客に提供することができる。
【０００３】
図３は、上記従来の調理用テーブルの一例であって、その天板における燃焼ボックスが取り付けられる周辺部分を示した断面図である。３は、調理用テーブルの天板であって、上下貫通する貫通穴３ａを備える。４は、貫通穴３ａに挿通されることにより、天板３に取り付けられる燃焼ボックスである。
【０００４】
燃焼ボックス４は、図３に示されるように、主として、加熱コンロの本体部（以下、「コンロ本体部」という。）４１と、内部にコンロ本体部４１が支持固定されて、天板３の上面側３ｂから取り付けられる内箱４２と、天板３の下面側３ｃから取り付けられて、内箱４２の側周面４２ａ及び底面４２ｂを覆う外箱４３と、外箱４３の側周面４３ａに取り付けられて外部から操作可能に露出する加熱コンロの操作部（以下、「コンロ操作部」という。）４４とからなる。
【０００５】
コンロ本体部４１は相当な高温となるが、周囲が内箱４２で覆われているため、調理用テーブルの使用者が、コンロ本体部４１に直接手を触れる心配は無い。しかしながら、内箱４２は、天板３の下面側３ｃに飛び出しており、かつ、コンロ本体部４１からの伝導熱や輻射熱によって相当な高温となるため、内箱４２に使用者の膝や大腿等が当たって火傷する恐れがある。そこで、内箱４２を天板３の上面側３ｂから取り付ける一方、外箱４３を天板３の下面側３ｃから取り付けることにより、内箱４２の側周面４２ａ及び底面４２ｂを外箱４３で覆って、火傷等の恐れをなくすようにしているものである。
【考案の開示】
【考案が解決しようとする課題】
【０００６】
ところで、コンロ本体部４１の発熱量を調整するためのコンロ操作部４４と、コンロ本体部４１とは、制御用ケーブル４５で相互に接続しておく必要がある。しかしながら、天板３に対して内箱４２と外箱４３をそれぞれ上面側３ｂおよび下面側３ｃから別々に取り付ける上記従来の燃焼ボックスでは、内箱４２に支持固定されるコンロ本体部４１と、外箱４３に支持固定されるコンロ操作部４４とを、調理用テーブルへの取り付け前に接続しておくことはできなかった。その一方で、コンロ本体部４１とコンロ操作部４４との接続作業にミスがあった場合には、燃焼ボックスの作動トラブルを引き起こす可能性がある。
【０００７】
上記燃焼ボックスの製造販売業者が、作動トラブルの発生を防止するためには、コンロ本体部４１とコンロ操作部４４の接続作業を自ら実施せざるを得ないが、その場合には、調理用テーブルを自社工場に持ち込んで作業をするか、あるいは、調理用テーブルが設置される店舗等に出張して作業をする必要がある。したがって、工場における作業・搬入スペースを確保したり、調理用テーブルの輸送手段を確保したり、あるいは、出張のための人手を確保するための負担が大きい。
【０００８】
本考案は、斯かる実情に鑑み、調理用テーブルの天板に取り付ける前に、コンロ本体部とコンロ操作部を予め接続させておくことができる燃焼ボックス、およびそのような燃焼ボックスを備えた調理用テーブルを提供しようとするものである。
【課題を解決するための手段】
【０００９】
請求項１の発明は、調理用テーブルの天板に形成される貫通穴に挿通されることにより、前記天板に取り付けられる燃焼ボックスであって、
上部が開放された箱状体で、内部に加熱コンロの本体部が支持固定される内箱と、
上部が開放された箱状体で、前記内箱を内部に収容することにより、前記内箱の側周面及び底面を覆うとともに、前記加熱コンロの操作部を外部に露出させた状態で自らの側周面に支持固定する外箱と、を備え、
前記内箱と前記外箱は、上部開放部の周縁どうしが相互に連結固定される一方、その連結固定部分以外の部分において相互に隙間が設けられており、相互に連結固定された状態で前記貫通穴に挿通されることを特徴とする燃焼ボックスを提供する。
【００１０】
請求項２の発明は、前記内箱と前記外箱の連結固定部分には、両者間の隙間を確保するためのスペーサが介在させられていることを特徴とする請求項１に記載の燃焼ボックスを提供する。
【００１１】
請求項３の発明は、請求項１又は２に記載の燃焼ボックスが天板に取り付けられていることを特徴とする調理用テーブルを提供する。
【考案の効果】
【００１２】
本考案の請求項１又は２に記載の燃焼ボックスによれば、加熱コンロの本体部を支持固定する内箱と、加熱コンロの操作部を支持固定する外箱とを、調理テーブルへの取り付け前に連結固定しておくので、コンロ本体部とコンロ操作部を予め接続させておくことができる。したがって、調理用テーブルへの取り付けは、貫通穴を形成した天板にビルトインするだけで済み、調理用テーブルへの取り付け時におけるコンロ本体部とコンロ操作部の接続作業ミスを心配する必要が無く、また、天板の下面側から外箱と取り付ける作業も必要無いものである。なお、外箱は、連結部分となる上部開放部の周縁が高温に熱せられることになるが、天板の貫通穴で覆われているため、使用者の膝等が高温部に触れる心配は無い。
【００１３】
特に、本考案の請求項２に記載の燃焼ボックスによれば、連結固定部分にスペーサが介在させられているので、両者間の隙間を均一に設定することが容易にできて組立性を向上することができるものである。
【００１４】
本考案の請求項３に記載の調理用テーブルによれば、燃焼ボックスの交換作業を容易に行うことができるものである。  
【考案を実施するための最良の形態】
【００１５】
以下、本考案の実施形態を、添付図面を参照しながら説明する。なお、図１は、本考案の実施形態となる燃焼ボックスの正面図および側面図であり、図２は、図１のＡ−Ａ断面図およびＢ−Ｂ断面図であって燃焼ボックスが調理用テーブルの天板に取り付けられた状態を示す。
【００１６】
（調理用テーブルの天板１）
図２において、１は、調理材料を加熱調理することができる調理用テーブルの天板であって、水平方向の横断面が四角形で、上下方向に貫通する貫通穴１ａを備える。貫通穴１ａには、燃焼ボックス２が挿通された状態で取り付けられるようになっている。
【００１７】
（燃焼ボックス２）
燃焼ボックス２は、主として、図１に示されるように、上方周縁部に鍔状体が形成された四角形の箱状体であって、図２に示されるように、貫通穴１ａに挿通されて、その下方部分が天板１の下面側１ｃに突出し、上部の鍔状体が天板１の上面側１ｂに引っ掛けられたような状態で取り付けられる。燃焼ボックス２は、加熱コンロの本体部（以下、「コンロ本体部」という。）２１と、内部にコンロ本体部２１を支持固定する内箱２２と、内箱２２の４つの側周面２２ａ及び底面２２ｂを覆う外箱２３と、外箱２３の側周面２３ａの一面に取り付けられて外部から操作可能に露出する加熱コンロの操作部（以下、「コンロ操作部」という。）２４とからなる。
【００１８】
（コンロ本体部２１）  
コンロ本体部２１は、不図示の配管を通して外部から供給されるガス等の燃料で加熱される加熱構造体であって、調理材料を加熱調理するための熱源とされる。なお、コンロ本体部２１は、ガス等の燃料を使用する燃焼式コンロに限らず、配線を通して供給される電気により加熱される電気コンロであっても良い。
【００１９】
（内箱２２）
内箱２２は、上面が開放されたステンレス製の四角形箱状体であって、その水平方向の横断面が貫通穴１ａに対応した形状とされており、天板１の上面側１ｂから貫通穴１ａに挿通されるものであるが、貫通穴１ａより一回り小さく寸法設定されている。内箱２２の側周面２２ａの上辺部には、水平方向の外側に突出するフランジ体２２ｃが一体的に形成されている。フランジ体２２ｃは、貫通穴１ａの上面側１ｂの周縁部に引っ掛けられて、内箱２２が下方に脱落しないように支持する。なお、内箱２２は、ボルト・ビス等の固定手段（不図示）により、天板１から容易に外れることがないように固定されている。
【００２０】
内箱２２の内周面の上下方向の中途部には、ステー２２１が水平方向に架け渡された状態で固定されており、このステー２２１にコンロ本体部２１が支持固定されている。内箱２２の上面開放部には、調理材料を載せる調理器具である鉄板２２２が嵌め込まれるようになっており、鉄板２２２の周縁部を支持するためのブラケット２２ｄが複数個設けられている。各ブラケット２２ｄには、鉄板２２２を直接支持するボルト２２ｅが設けられており、ボルト２２ｅを回転して上下動させることにより鉄板２２２の傾きを解消する調整を可能としている。
【００２１】
ただし、鉄板２２２に傾きが生じないように調整しても、調理作業中に鉄板２２２から油等が滴り落ちることは避けられないため、内箱２２の底面２２ｂには、滴り落ちる油を受けるためのトレイ状のオイルパン２２３が設置されている。内箱２２の内周面の上方には、下方側が狭められた逆スカート状のガイド筒２２４が設けられており、鉄板２２２の周縁部から落ちる油をオイルパン２２３へ確実に導くように構成されている。
【００２２】
なお、鉄板２２２には、鉄板２２２から掻き取られた調理カスを下方に落とすための切り欠き２２２ａが形成されており、内箱２２の切り欠き２２２ａの直下に該当する位置には、オイルパン２２３とは別に、図１（ａ）または図２（ａ）中の手前方向に引き出すことができる引き出し状の調理カス受け２２５が設けられている。また、内箱２２の側周面２２ａには、コンロ燃焼用の空気を導入するスリット状の空気導入穴２２ｆ、及びコンロ本体部２１の着火を確認するための窓穴２２ｇ（図１）が開口されている。その他、フランジ体２２ｃの上方には、フランジ体２２ｃを目隠しする枠状の化粧カバー２２ｈが取り付けられている。
【００２３】
（外箱２３）
外箱２３は、内箱２２と同様に、上面が開放された鋼板製の四角形箱状体であって化粧用の焼付塗装が施されており、内箱２２を内部に収容することにより、図２に示されるように、内箱２２との間に所定の隙間を確保しながら、内箱２２の側周面２２ａ及び底面２２ｂを外側から覆うことができ、かつ、貫通穴１ａにほぼ嵌合させることができる大きさに設定されている。
【００２４】
外箱２３は、その上部開放部の周縁が、内箱２２の上部開放部の周縁とビス２３ｃで連結固定されており、その連結固定部分には、スペーサ２３ｄが介在させられて、連結固定部分以外の部分において、内箱２２と外箱２３の相互の隙間が均一に確保されるようになっている。なお、外箱２３の側周面２３ａには、内部に収容される内箱２２に設けられる空気導入穴２２ｆ及び窓穴２２ｇに対応するようにして、空気導入穴２３ｆ及び窓穴２３ｇが設けられており、調理カス受け２２５を引き出すための引き出し穴２３ｉが設けられている。
【００２５】
（コンロ操作部２４）
コンロ操作部２４は、燃焼ボックスの外部から操作可能となるように、外箱２３の側周面２３ａの一面に対し、外部に露出した状態で支持固定されている。コンロ操作部２４は、コンロ本体部２１の着火及び火力調整を行うための制御機能を備えており、コンロ本体部２１と制御用ケーブル２５で連結されている。
【００２６】
（燃焼ボックスの取り付け方法）
燃焼ボックス２を、調理用テーブルに取り付ける場合には、予め調理用テーブルの天板１に燃焼ボックス２の下方側の水平横断面に応じた貫通穴１ａを形成しておき、コンロ操作部２４が貫通穴１ａに引っ掛からないように、上面側１ｂから嵌め込むようにするだけで良い。
【００２７】
本考案の燃焼用ボックス及び調理用テーブルは、上記した実施の形態に限定されるものではなく、本考案の要旨を逸脱しない範囲内において種々変更を加え得ることは勿論である。
【図面の簡単な説明】
【００２８】
【図１】本考案の実施形態に係る燃焼ボックスを示す図。
【図２】本考案の実施形態に係る燃焼ボックスが調理用テーブルの天板に取り付けられた状態を示す図であって、（ａ）は図１におけるＡ−Ａ断面図、（ｂ）Ｂ−Ｂ断面図。
【図３】従来の燃焼ボックスが取り付けられた調理用テーブルを示す図。
【符号の説明】
【００２９】
１    天板
１ａ    貫通穴
２    燃焼ボックス    
２１    コンロ本体部
２２    内箱
２２ａ    側周面
２２ｂ    底面
２３    外箱
２３ａ    側周面
２３ｄ    スペーサ
２４    コンロ操作部
【図１】
0003106442.tif 000003
【図２】
0003106442.tif 000004
【図３】
0003106442.tif 000005